(57)【要約】エレベーターのかごの壁パネル対する保護カバーの取り付けに関し、保護カバーを取り付けるためだけに必要であった部品を削減し、取り付けの作業性を向上させる。この課題を解決するため、かご室の床パネルと壁パネルとの間に配置される巾木の上部に、壁パネルのかご室内側の表面を覆う保護カバーの下端部が挿入される下端部用挿入部を形成し、壁パネルに固定される手すりのブラケットの下部に、保護カバーの上端部が挿入される上端部用挿入部を形成する。
2014195996.tif 000002
【特許請求の範囲】
【請求項１】
天井パネルと、床パネルと、これら床パネルと天井パネルとの間に配置された壁パネルとを有するかご室本体、
上記壁パネルの内表面に、上下方向中央部の位置に装着されたかご室内備品、
上記かご室内備品に形成された端部用挿入部に一端部が挿入され、上記壁パネルの内表面の一部を覆う保護カバー
を備えたエレベーター用かご。
【請求項２】
上記かご室内備品は、上記壁パネルの内表面に固定されたブラケットと、このブラケットに取り付けられ、水平に配置される横木とを有する手すりであり、
上記端部用挿入部は上記ブラケットの下部に形成されていることを特徴とする請求項１記載のエレベーター用かご。
【請求項３】
上記端部用挿入部は、上記壁パネルの内表面とで凹部を形成する、水平方向全長に亘って形成された切欠きであることを特徴とする請求項２記載のエレベーター用かご。
【請求項４】
上記凹部の幅は上記保護カバーの厚さと同じであることを特徴とする請求項３記載のエレベーター用かご。
【請求項５】
上記端部用挿入部は、上記ブラケットの水平方向全長に亘って形成された凹溝であることを特徴とする請求項２記載のエレベーター用かご。
【請求項６】
上記凹溝の幅は上記保護カバーの厚さと同じであることを特徴とする請求項５記載のエレベーター用かご。
【請求項７】
天井パネルと、床パネルと、これら床パネルと天井パネルとの間に配置された壁パネルとを有するかご室本体、
上記壁パネルと上記床パネルとの間に配置された巾木、
上記壁パネルの内表面に、上下方向中央部の位置に装着されたかご室内備品、
上記巾木に形成された下端部用挿入部に下端部が挿入され、上記巾木と上記かご室内備品との間の上記壁パネルの内表面を覆う保護カバー
を備えたエレベーター用かご。
【請求項８】
上記下端部用挿入部は、上記巾木の水平方向全長に亘って形成された凹溝であることを特徴とする請求項７記載のエレベーター用かご。
【請求項９】
上記凹溝の幅は上記保護カバーの厚さと同じであることを特徴とする請求項８記載のエレベーター用かご。
【請求項１０】
上記下端部用挿入部は、上記壁パネルの内表面側に位置する上記巾木側面から上面に亘り、上記巾木の水平方向全長に亘って形成された切欠きであることを特徴とする請求項７記載のエレベーター用かご。
【請求項１１】
上記切欠きの側面は上記壁パネルの内表面と対向する面を有することを特徴とする請求項１０記載のエレベーター用かご。
【請求項１２】
上記切欠きの側面と上記壁パネルの内表面との間の水平方向の長さは上記保護カバーの厚さと同じであることを特徴とする請求項１０又は請求項１１記載のエレベーター用かご。
【請求項１３】
上記かご室内備品は、下部に上記保護カバーの上端部が挿入される上端部用挿入部が形成され、上記壁パネルの内表面に固定されたブラケットと、このブラケットに取り付けられ、水平に配置される横木とを有する手すりであることを特徴とする請求項７から請求項１２のいずれか１項に記載のエレベーター用かご。
【請求項１４】
天井パネルと、床パネルと、これら床パネルと天井パネルとの間に配置された壁パネルとを有するかご室本体、
上記壁パネルの内表面に、上下方向中央部の位置に装着されたかご室内備品、
上記床パネルに形成された下端部用挿入部に下端部が挿入され、上記床パネルと上記かご室内備品との間の上記壁パネルの内表面を覆う保護カバー
を備え、
上記床パネルは、
床面部と、
上記壁パネルの内表面から上記かご室本体内側に位置し、上記床面部から下方に延在する第１垂直部と、
この第１垂直部から上記かご室本体外方に延在する第１締結部と、
この第１締結部の上面と面接触して上記第１締結部に固定される第２締結部と、
この第２締結部から上方に延在し、上記第１垂直部と対向して位置し、上記第１垂直部とで上記下端部用挿入部となる第２垂直部と、
この第２垂直部から上記かご室本体外方に延在する延在部と、
上記壁パネルの内表面から上記かご室本体外側に位置し、上記延在部から上方に延在する第３垂直部と、
この第３垂直部から上記かご室本体内方に延在し、上記壁パネルの下端部から上記かご室本体外方に延在された締結部の下面と面接触して上記壁パネルの締結部に固定される第２締結部と
を具備していることを特徴とするエレベーター用かご。
【請求項１５】
上記第２垂直部における上記第１垂直部と対向する面は上記壁パネルの内表面と同一面上にあることを特徴とする請求項１４記載のエレベーター用かご。
【請求項１６】
上記第１垂直部と第２垂直部との対向面同士の間隔は上記保護カバーの厚さと同じであることを特徴とする請求項１４又は請求項１５記載のエレベーター用かご。
【請求項１７】
上記かご室内備品は、下部に上記保護カバーの上端部が挿入される上端部用挿入部が形成され、上記壁パネルの内表面に固定されたブラケットと、このブラケットに取り付けられ、水平に配置される横木とを有する手すりであることを特徴とする請求項１４から請求項１６のいずれか１項に記載のエレベーター用かご。
【請求項１８】
天井パネルと、床パネルと、これら床パネルと天井パネルとの間に配置された壁パネルとを有するかご室本体、
上記壁パネルの内表面に、上下方向中央部の位置に装着されたかご室内備品、
上記床パネルに形成された下端部用挿入部に下端部が挿入され、上記床パネルと上記かご室内備品との間の上記壁パネルの内表面を覆う保護カバー
を備え、
上記床パネルは、
床面部と、
上記壁パネルの内表面から上記かご室本体内側に位置し、上記床面部から下方に延在し、上記保護カバーの表面が接する面を有して上記下端部用挿入部となる第１垂直部と、
この第１垂直部から上記かご室本体外方に延在する延在部と、
上記壁パネルの内表面から上記かご室本体外側に位置し、上記延在部から上方に延在する第２垂直部と、
この第２垂直部から上記かご室本体内方に延在し、上記壁パネルの下端部から上記かご室本体外方に延在された締結部の下面と面接触して上記壁パネルの締結部に固定される締結部と
を具備していることを特徴とするエレベーター用かご。
【請求項１９】
上記第１垂直部における上記保護カバーの表面が接する面と上記壁パネルの内表面との間の水平方向の長さは上記保護カバーの厚さと同じであることを特徴とする請求項１８記載のエレベーター用かご。
【請求項２０】
上記かご室内備品は、下部に上記保護カバーの上端部が挿入される上端部用挿入部が形成され、上記壁パネルの内表面に固定されたブラケットと、このブラケットに取り付けられ、水平に配置される横木とを有する手すりであることを特徴とする請求項１８又は請求項１９に記載のエレベーター用かご。
【請求項２１】
天井パネルと、床パネルと、これら床パネルと天井パネルとの間に配置された壁パネルとを有するかご室本体、
上記壁パネルの内表面に、上下方向中央部の位置に装着されたかご室内備品、
上記天井パネルに形成された上端部用挿入部に上端部が挿入され、上記天井パネルと上記かご室内備品との間の上記壁パネルの内表面を覆う保護カバー
を備え、
上記天井パネルは、
天井面部と、
上記壁パネルの内表面から上記かご室本体内側に位置し、上記天井面部から上方に延在し、上記壁パネルと対向して位置し、上記壁パネルとで上記保護カバーの上端部が挿入される上記端部用挿入部となる垂直部と、
この垂直部から上記かご室本体外方に延在し、上記壁パネルの上端部から上記かご室本体外方に延在された支持部の上面と面接触して上記支持部に載置される載置部と、
を備えることを特徴とするエレベーター用かご。
【請求項２２】
上記垂直部と上記壁パネルとの対向面同士の間隔は上記保護カバーの厚さと同じであることを特徴とする請求項２１記載のエレベーター用かご。
【請求項２３】
上記かご室内備品は、上部に上記保護カバーの下端部が挿入される下端部用挿入部が形成され、上記壁パネルの内表面に固定されたブラケットと、このブラケットに取り付けられ、水平に配置される横木とを有する手すりであることを特徴とする請求項２１又は請求項２２に記載のエレベーター用かご。
【請求項２４】
天井パネルと、床パネルと、これら床パネルと天井パネルとの間に配置された壁パネルとを有するかご室本体、
上記壁パネルの内表面に、上下方向中央部の位置に装着されたかご室内備品、
上記天井パネルに形成された上端部用挿入部に上端部が挿入され、上記天井パネルと上記かご室内備品との間の上記壁パネルの内表面を覆う保護カバー
を備え、
上記天井パネルは、
天井面部と、
上記壁パネルの内表面から上記かご室本体内側に位置し、上記天井面部から上方に延在する第１垂直部と、
この第１垂直部から上記かご室本体内方に延在する第１締結部と、
この第１締結部の上面と面接触して上記第１締結部に固定される第２締結部と、
この第２締結部から下方に延在し、上記第１垂直部と対向して位置し、上記第１垂直部とで上記保護カバーの上端部が挿入される上記端部用挿入部となる第２垂直部と、
この第２垂直部から上記かご室本体外方に延在する水平部と、
この水平部から上方に延在する第３垂直部と、
この第３垂直部から上記かご室本体外方に延在し、上記壁パネルの上端部から上記かご室本体外方に延在された支持部の上面と面接触して上記支持部に載置される載置部と、
を具備していることを特徴とするエレベーター用かご。
【請求項２５】
上記第１垂直部と上記第２垂直部との対向面同士の間隔は上記保護カバーの厚さと同じであることを特徴とする請求項２４記載のエレベーター用かご。
【請求項２６】
上記かご室内備品は、上部に上記保護カバーの下端部が挿入される下端部用挿入部が形成され、上記壁パネルの内表面に固定されたブラケットと、このブラケットに取り付けられ、水平に配置される横木とを有する手すりであることを特徴とする請求項２４又は請求項２５に記載のエレベーター用かご。
【請求項２７】
天井パネルと、床パネルと、これら床パネルと天井パネルとの間に配置された壁パネルとを有するかご室本体、
下部に上端部用挿入部が形成され、上記壁パネルの内表面に固定されたブラケットと、このブラケットに取り付けられ、水平に配置される横木とを有する手すり、
上部に下端部用挿入部が形成され、上記壁パネルと上記床パネルとの間に配置された巾木、
上記手すりの上端部用挿入部に上端部が挿入され、上記巾木の下端部用挿入部に下端部が挿入され、上記壁パネルの内表面の一部を覆う保護カバー
を備えたエレベーター用かご。
【請求項２８】
上記床パネルは、床面部と、この床面部から垂直方向に立ち上げられた垂直部と、この垂直部から上記かご室本体内方に向かって延在された締結部とを有し、
上記壁パネルは、壁面部と、この壁面部の下端部から上記かご室本体外方に向かって延在され、上記床パネルの締結部の上面と面接触して上記床パネルの締結部に固定される締結部とを有し、
上記巾木は、上記床パネルの床面部と上記壁パネルの締結部との間に配置されること
を特徴とする請求項２７に記載のエレベーター用かご。
【請求項２９】
上記下端部用挿入部は上記巾木の上面に水平方向全長に亘って形成された凹溝であることを特徴とする請求項２７または請求項２８記載のエレベーター用かご。
【請求項３０】
上記凹溝の幅は上記保護カバーの厚さと同じであることを特徴とする請求項２９記載のエレベーター用かご。
【請求項３１】
上記上端部用挿入部は、上記壁パネルの内表面とで凹部を形成する、水平方向全長に亘って形成された切欠きであることを特徴とする請求項２７から請求項３０のいずれか１項に記載のエレベーター用かご。
【請求項３２】
上記凹部の幅は上記保護カバーの厚さと同じであることを特徴とする請求項３１記載のエレベーター用かご。
【請求項３３】
前記保護カバーには広告が貼り付けられること
を特徴とする請求項１から請求項３２のいずれか１項に記載のエレベーター用かご。
【発明の詳細な説明】
【技術分野】
【０００１】
この発明は、正面に扉を有し、両側面及び背面に壁パネルを配するエレベーター用かごに代表される少なくとも１つの壁パネルを有するかごにかかわり、特に、壁パネルを保護する保護カバーを備えるエレベーター用かごに関するものである。
【背景技術】
【０００２】
従来のかごにおいては、複数の吊りフックを壁パネルの上端寄り部に横一列に、壁パネルの背面側からナットで固定して突設しておき、これら吊りフックに保護カバーの上端縁部に穿設した複数の穴を引っ掛けて、保護カバーを壁パネルの表面に垂れ下げるように装添する。また、保護カバーの下端裾部裏面にはゴム磁石を接着剤により接着しておき、このゴム磁石を壁パネルの下端部に取り付けられた保護カバー裾留め具に吸着させて止め付ける。保護カバー裾留め具は、磁石が吸着できる材質のプレート、プレートの背面側に配される抑え板、プレートと抑え板を締結する締め付けネジを有しており、プレートと抑え板とで壁パネルの下端縁部を挟み、その状態で締め付けネジを締め上げることで壁パネルの下端縁部に取り付けられる（例えば、特許文献１参照）。
【先行技術文献】
【特許文献】
【０００３】
【特許文献１】実開平１−７８６７３号公報
【発明の概要】
【発明が解決しようとする課題】
【０００４】
複数の吊りフックを壁パネルの上端寄り部に横一列に突設する構成では、吊りフックを壁パネルの背面側からナットで固定するため、作業者が昇降路とかごの間の狭い隙間に入って作業をする必要があった。また、壁パネルに吊りフックを突設するための加工が必要であった。
また、保護カバーの下端裾部裏面に接着したゴム磁石を壁パネルの下端部の保護カバー裾留め具に吸着させる構成では、保護カバーを取り付けるためだけの部品を用いる必要があった。【０００５】
この発明は、上述のような課題を解決するためになされたもので、壁パネルに保護カバーを取り付けるための部品を削減し、取り付けの作業性を向上させることを目的とする。
【課題を解決するための手段】
【０００６】
この発明に係るかごは、天井パネル、床パネル、壁パネルの内表面に装着されるかご室内備品、巾木のいずれかに形成された端部用挿入部に一端部が挿入され、壁パネルの内表面の一部を覆う保護カバーを備えるものである。
【発明の効果】
【０００７】
この発明は、天井パネル、床パネル、かご室内備品、巾木のいずれかに形成された端部用挿入部に一端部が挿入される保護カバーを備えるので、壁パネルに保護カバーを取り付けるための部品を削減し、取り付けの作業性を向上させることができる。
【図面の簡単な説明】
【０００８】
【図１】この発明の実施の形態１におけるかご室を示す概略図である。
【図２】この発明の実施の形態１におけるかご室を示す概略断面図である。
【図３】この発明の実施の形態１におけるかご室の一部を示す要部断面図である。
【図４】この発明の実施の形態１におけるかご室の他の例を示す概略図である。
【図５】この発明の実施の形態１におけるかご室の他の例を示す概略図である。
【図６】この発明の実施の形態２におけるかご室の一部を示す要部断面図である。
【図７】この発明の実施の形態３におけるかご室の一部を示す要部断面図である。
【図８】この発明の実施の形態４におけるかご室を示す概略図である。
【図９】この発明の実施の形態４におけるかご室の一部を示す要部断面図である。
【図１０】この発明の実施の形態５におけるかご室の一部を示す要部断面図である。
【図１１】この発明の実施の形態６におけるかご室を示す概略図である。
【図１２】この発明の実施の形態６におけるかご室の一部を示す要部断面図である。
【図１３】この発明の実施の形態６におけるかご室の他の例を示す概略図である。
【図１４】この発明の実施の形態６におけるかご室の他の例を示す概略図である。
【図１５】この発明の実施の形態７におけるかご室の一部を示す要部断面図である。
【発明を実施するための形態】
【０００９】
実施の形態１．
以下にこの発明の実施の形態１を図１から図３を用いて説明する。かご室本体１００は図１及び図２に示すように正面の片開きの扉１及び正面パネル、床パネル２、天井パネル３、背面及び両側面の壁パネル４を有する。壁パネル４は床パネル２と天井パネル３との間に配置される。
【００１０】
床パネル２は図３に示すようにかご室本体１００の床を構成する平面四角形状の床面部２ａを有し、この床面部２ａの４辺それぞれから垂直方向に立ち上げられた垂直部２ｂと、この垂直部２ｂからかご室本体１００内方に向かって水平方向に延在された締結部２ｃとを有している。
【００１１】
背面及び両側面の壁パネル４は床パネル２に対し立設され、図３に示すようにかご室本体１００の壁を構成する壁面部４ａを有し、この壁面部４ａの下端部にかご室本体１００外方に向かって水平方向に延在された締結部４ｂを有している。この締結部４ｂを床パネル２の締結部２ｃに接触させ、ボルト及びナット５を用いて締結させる。これによって壁パネル４は床パネル２に立設されて固定されることになる。
【００１２】
なお、図３において、壁パネル４の上端部は示していないが、上端にてかご室本体１００外方に向かって水平方向に延在する支持部を有し、この支持部に天井パネル３が載置され支持されているものである。
【００１３】
床パネル２の床面部２ａと背面及び両側面の壁パネル４それぞれの締結部４ｂとの間に巾木６が配置される。巾木６の材質は木製、金属製、ゴム製、樹脂製、又はこれらを複合させたもののいずれかである。この巾木６は壁パネル４の下端において、壁面部４ａからかご室本体１００外方に向かって形成された空間部を覆うために設けられたものである。この空間部は壁パネル４を床パネル２に立設して固定するために設けられた垂直部２ｂと締結部２ｃによって生じたものである。巾木６は図３に示すように上記空間部を覆うための板状の覆板６ａを有し、この覆板６ａの裏面に装着体６ｂが複数個設けられている。各装着体６ｂは内方に向かって弾性力が働くような複数の爪を有している。
【００１４】
一方、床パネル２の垂直部２ｂに複数の装着体６ｂそれぞれに対応して複数の巾木締結具７が固定されている。各巾木締結具７は床パネル２の垂直部２ｂに固着される基部７ａとこの基部７ａから垂直方向に延在され、外方に向かって弾性力が働く装着部７ｂとを有する。巾木６の装着体６ｂを巾木締結具７に押し込むことにより、装着体６ｂの爪が巾木締結具７の装着部７ｂと噛み合い、両者の弾性力によって固定される。しかも、装着体６ｂの爪の先端と巾木締結具７の装着部７ｂの先端とが抜け止めとして機能する。
【００１５】
巾木６の覆板６ａの上面には全長に亘って凹溝６ｃが形成されている。この凹溝６ｃは保護カバー８の下端部用挿入部となる。凹溝６ｃの幅は保護カバー８と密着させるため保護カバー８の厚さと同じである。
【００１６】
手すり９は第１図に示すように、床パネル２からの高さが１ｍの位置の壁パネル４に固定される。手すり９は水平に配置される横木９ａを有し、この横木９ａに取り付けられるとともに壁パネル４に固定されるブラケット９ｂとを有する。横木９ａはアルミ製、ステンレス製などの金属製、ゴム製、樹脂製、あるいは木製、又はこれらを複合させたもののいずれかである。また、ブラケット９ｂは図２に示すように横木９ａの両端部にそれぞれ設けられるが、横木９ａに沿って複数個設けても良いし、横木９ａに沿って水平方向に延在させても良い。
【００１７】
壁パネル４の内表面に接するブラケット９ｂの固定面の下部に水平方向全長に亘って切欠き９ｃが形成されている。この切欠き９ｃは保護カバー８の上端部用挿入部となる。ブラケット９ｂの固定面が壁パネル４の内表面に接して固定されたとき、切欠き９ｃと壁パネル４の内表面とで凹部が形成される。この凹部の幅、つまり、切欠き９ｃの水平方向長さは保護カバー８と密着させるため保護カバー８の厚さと同じである。
【００１８】
保護カバー８は四角形状をしており、横方向長さは装着される壁パネル４の幅と同じである。保護カバー８の縦方向長さは手すり９のブラケット９ｂの下面と巾木６の覆板６ａの上面との間の距離より長く、ブラケット９ｂの切り欠き９ｃの底面と覆板６ａの凹溝６ｃの底面との間の距離以下、好ましくは若干短い。保護カバー８は弾性変形可能な薄板材によって形成される。
【００１９】
保護カバー８はまず、その下端を巾木６の覆板６ａの凹溝６ｃに差し込む。その後、保護カバー８の弾性変形を利用して湾曲させ、上端をブラケット９ｂの切り欠き９ｃに差し込む。これにより、保護カバー８は壁パネル４の内表面に接して取り付けられ、巾木６と手すり９との間の壁パネル４の内表面を保護する。また、凹溝６ｃの幅及び切欠き９ｃの水平方向長さは保護カバー８の厚さと同じであるため、保護カバー８の下端は覆板６ａとの接触抵抗（摩擦力）により、上端はブラケット９ｂ及び壁パネル４の接触抵抗（摩擦力）により、簡単にずれることはない。
【００２０】
かご室本体１００の扉１の上辺及び両側面を囲うように配置される正面パネルにおける操作パネル１０にかごが現在走行している階を表示する表示装置１１とかごの行先階を登録する登録装置１２が設けられている。
【００２１】
なお、上記実施の形態１では床パネル２、天井パネル３、及び背面及び両側面の壁パネル４それぞれを一枚のパネルで構成したものを示したが、これに限られるものではなく、複数の分割パネルを接続して構成したもので合っても良い。
【００２２】
上記した実施の形態１では、保護カバー８が壁パネル４の内表面を直接覆うものとして説明したが、表面に塗装がされた壁パネル４の内表面を覆うこと、フィルム又はシールが貼られた壁パネル４の内表面を覆うこと、又はその他の取り付けられた部材の上から壁パネル４の内表面を覆うようにしても良いものである。
【００２３】
なお、図１においては、扉１が片開きの例を示したが両開きであってもよい。また、図１において、背面及び両側面には壁パネル４が配されるものとしたが、少なくとも１つの以上の面に扉１とは別の扉が設けられていてもよい。また、背面及び両側面には壁パネル４が配されるものとしたが、巾木６と手すり９を１つ又は２つの面に配するようにしてもよい。また、図１におけるかご室本体１００で形成される内空間は直方体形状であったが、正面パネル及び壁パネルの数を適宜変更し他の多面体形状となるようにかご室本体１００を構成してもよい。
【００２４】
また、凹溝６ｃの幅及び切欠き９ｃの水平方向長さを保護カバー８の厚さと同じであるとしたが、自立可能な剛性を有する保護カバー８を用いる場合にはその厚さを、凹溝６ｃの幅及び切欠き９ｃの水平方向長さよりも薄くしてもよい。
【００２５】
なお、上述においては手すり９を利用して保護カバー８を取り付けたが、手すり９の他に図４に示す鏡１３、図５に示す広告掲載枠又は表示装置１４といった他のかご室内備品を利用して取り付けることもできる。鏡１３と広告掲載枠又は表示装置１４の詳細な構造については説明を省略するが、手すり９と同様に保護カバー８の上端部用挿入部である切欠き９ｃを、鏡１３と広告掲載枠又は表示装置１４の壁パネル４の内表面に接する装着面の下部に水平方向全長に亘って形成すればよい。ここで、手すり９、鏡１３、広告掲載枠又は表示装置１４はいずれも壁パネル４の上下方向中央部の位置に装着されるかご室内備品である。かご内に設けられるかご室内備品を用いることで、保護カバー８を取り付けるための他部品が不要となり、部品点数を削減できる。
【００２６】
以上のように、手すり９のブラケット９ｂに保護カバー８の上端部用挿入部である切欠き９ｃを形成し、巾木６の覆板６ａに保護カバー８の下端部用挿入部である凹溝６ｃを形成した。そのため、保護カバー８の取り付け及び取り外しをかご室内で行うことができ、作業性を向上させることができる。また、元々かご室内に設けられる手すり９及び巾木６を用いるため、保護カバー８を取り付けるための他部品が不要であり、部品点数を削減することができる。また、保護カバー８を取り付けるための壁パネル４への穴加工等の必要性がなくなるため、取り付けの作業効率を高めることができる。
【００２７】
なお、上述においては、手すり９及び巾木６の両方を用いて保護カバー８を取り付けたが、手すり９及び巾木６のうち一方を用いてもよい。この場合、保護カバー８の一端部を凹溝６ｃ又は切欠き９ｃに形成した端部用挿入部に挿入し、他方側を従来の方法で取り付けることで、保護カバー８が壁パネル４の内表面の一部を覆うようにする。少なくとも保護カバー８の一方側において、部品点数の削減ができ壁パネルへの穴加工等が不要となる。
【００２８】
実施の形態２．
以下にこの発明の実施の形態２を、図６を用いて説明する。図６において、図３と同一又は対応する構成については、同一符号を付し、説明を省略する。
【００２９】
図６に示すように、床パネル２の床面部２ａと背面及び両側面の壁パネル４それぞれの締結部４ｂとの間に巾木１６が配置される。巾木１６の材質は木製、金属製、ゴム製、樹脂製又はこれらを複合させたもののいずれかである。この巾木１６は壁パネル４の下端において、壁面部４ａからかご室本体１００外方に向かって形成された空間部を覆うために設けられたものである。巾木１６は図６に示すように上記空間部を覆うための板状の覆板１６ａを有する。
【００３０】
巾木１６の覆板１６ａの上面には全長に亘って凹溝１６ｃが形成されている。この凹溝１６ｃは保護カバー８の下端部用挿入部となる。凹溝１６ｃの幅は保護カバー８と密着させるため保護カバー８の厚さと同じである。凹溝１６ｃは巾木１６を巾木締結具７に取り付けたときに、壁パネル４の内表面から水平方向に離間した位置に配される。
【００３１】
手すり１７は図６に示すように、水平に配置される横木９ａを有し、この横木９ａに取り付けられるとともに壁パネル４に固定されるブラケット１７ｂを有する。ブラケット１７ｂは横木９ａの両端部にそれぞれ設けたもの、横木９ａに沿って複数個設けられたもの、横木９ａに沿って水平方向に延在されたもののいずれかである。
【００３２】
ブラケット１７ｂの下部には水平方向全長に亘って凹溝１７ｃが形成されている。この凹溝１７ｃは保護カバー８の上端部用挿入部となる。凹溝１７ｃの幅は保護カバー８と密着させるため保護カバー８の厚さと同じである。凹溝１７ｃはブラケット１７ｂの固定面が壁パネル４の内表面に接して固定されたとき、壁パネル４の内表面から水平方向に離間した位置に配される。
【００３３】
なお、凹溝１６ｃ及び凹溝１７ｃの幅を保護カバー８の厚さと同じであるとしたが、自立可能な剛性を有する保護カバー８を用いる場合にはその厚さを、凹溝１６ｃ及び凹溝１７ｃの幅よりも薄くしてもよい。
【００３４】
なお、上述においては手すり１７を利用して保護カバー８を取り付けたが、実施の形態１における図４及び図５に示すように、手すり１７の他に鏡１３、広告掲載枠又は表示装置１４といった他のかご室内備品を利用して取り付けることもできる。鏡１３と広告掲載枠又は表示装置１４の詳細な構造については説明を省略するが、手すり１７と同様に保護カバー８の上端部用挿入部である凹溝１７ｃを、鏡１３と広告掲載枠又は表示装置１４の下部に水平方向全長に亘って形成すればよい。ここで、手すり１７、鏡１３、広告掲載枠又は表示装置１４はいずれも壁パネル４の上下方向中央部の位置に装着されるかご室内備品である。かご内に設けられるかご室内備品を用いることで、保護カバー８を取り付けるための他部品が不要となり、部品点数を削減できる。
【００３５】
以上のように、手すり１７のブラケット１７ｂに保護カバー８の上端部用挿入部である凹溝１７ｃを形成し、巾木１６の覆板１６ａに保護カバー８の下端部用挿入部である凹溝１６ｃを形成した。そのため、実施の形態１と同様の効果が得られる。また、ブラケット１７ｂの固定面が壁パネル４の内表面に接して固定されたときに壁パネル４の内表面から離間した位置に凹溝１７ｃが配されるようにし、巾木１６を巾木締結具７に取り付けたときに凹溝１６ｃが壁パネル４の内表面から水平方向に離間した位置に配されるようにしたので、保護カバー８と壁パネル４との間には間隙が形成される。そのため、保護カバー８と壁パネル４との密着性が低く、保護カバー８を壁パネル４から取り外しやすい。
【００３６】
なお、上述においては、手すり１７及び巾木１６の両方を用いて保護カバー８を取り付けたが、手すり１７及び巾木１６のうち一方を用いてもよい。この場合、保護カバー８の一端部を凹溝１７ｃ又は凹溝１６ｃに挿入し、他方側を従来の方法で取り付けることで、保護カバー８が壁パネル４の内表面の一部を覆うようにする。少なくとも保護カバー８の一方側において、部品点数の削減と壁パネルへの穴加工等が不要となる。
【００３７】
実施の形態３．
以下にこの発明の実施の形態３を、図７を用いて説明する。図７において、図３と同一又は対応する構成については、同一符号を付し、説明を省略する。
【００３８】
図７に示すように、床パネル２の床面部２ａと背面及び両側面の壁パネル４それぞれの締結部４ｂとの間に巾木１８が配置される。巾木１８の材質は木製、金属製、ゴム製、樹脂製又はこれらを複合させたもののいずれかである。この巾木１８は壁パネル４の下端において、壁面部４ａからかご室本体１００外方に向かって形成された空間部を覆うために設けられたものである。巾木１８は図７に示すように上記空間部を覆うための板状の覆板１８ａを有する。
【００３９】
巾木１８の壁パネル４の内表面側に位置する巾木１８側面から上面に亘り、巾木１８の水平方向全長に亘って切欠き１８ｃが形成されている。この切欠き１８ｃは保護カバー８の下端部用挿入部となる。切欠き１８ｃの側面は壁パネル４の内表面と対向する面を有している。切欠き１８ｃの水平方向長さは保護カバー８と密着させるため、巾木１８を巾木締結具７に取り付けたときの切欠き１８ｃの側面と壁パネル４の内表面との水平離間距離が保護カバー８の厚さと同じになるよう設定される。
【００４０】
なお、巾木１８を巾木締結具７に取り付けたときの切欠き１８ｃの側面と壁パネル４の内表面との水平離間距離が保護カバー８の厚さと同じになるよう切欠き１８ｃの水平方向長さ設定したが、自立可能な剛性を有する保護カバー８を用いる場合にはその厚さを、切欠き１８ｃの側面と壁パネル４の内表面との水平離間距離よりも薄くしてもよい。
【００４１】
以上のように、手すり９のブラケット９ｂに保護カバー８の上端部用挿入部である切欠き９ｃを形成し、巾木１８の覆板１８ａに保護カバー８の下端部用挿入部である切欠き１８ｃを形成した。そのため、実施の形態１と同様の効果が得られる。
【００４２】
なお、上述においては、手すり９及び巾木１８の両方を用いて保護カバー８を取り付けたが、巾木１８のみを用いてもよい。この場合、保護カバー８の下端部を切欠き１８ｃに挿入し、上端部を従来の方法で取り付けることで、保護カバー８が壁パネル４の内表面の一部を覆うようにする。少なくとも保護カバー８の下端部において、部品点数の削減と壁パネルへの穴加工等が不要となる。
【００４３】
なお、図７においては、手すり９のブラケット９ｂに保護カバー８の上端部用挿入部である切欠き９ｃを形成した。しかし、手すり９の代わりに実施の形態２における手すり１７を用い、手すり１７のブラケット１７ｂに保護カバー８の上端部用挿入部である凹溝１７ｃを形成してもよい。この場合、上端部用挿入部である凹溝１７ｃと上端部用挿入部である切欠き１８ｃとの垂直位置がずれることになるが、保護カバー８を弾性変形させた状態で取り付けるようにすればよい。
【００４４】
実施の形態４．
以下にこの発明の実施の形態４を、図８及び図９を用いて説明する。図８において、図１と同一又は対応する構成については、同一符号を付し、説明を省略する。図９において、図３と同一又は対応する構成については、同一符号を付し、説明を省略する。
【００４５】
かご室本体１００は図８に示すように正面の片開きの扉１及び正面パネル、床パネル３３及び天井パネル３、背面及び両側面の壁パネル４を有する。壁パネル４は床パネル３３と天井パネル３との間に配置される。
【００４６】
床パネル３３は図９に示すように床面板１９及び床端板２０で構成される。床面板１９はかご室本体１００の床を構成する平面四角形状の床面部１９ａを有し、この床面部１９ａの４辺のうちかご室本体１００の背面及び両側面側に位置する３辺のそれぞれから垂直方向に立ち下げられた垂直部１９ｂと、この垂直部１９ｂからかご室本体１００外方に向かって水平方向に延在された締結部１９ｃとを有している。
【００４７】
床端板２０は、床面板１９の締結部１９ｃと壁パネル４の締結部４ｂとの間に配置される。床端板２０は、床面板１９の締結部１９ｃに面接触する締結部２０ａと、締結部２０ａのかご室本体１００内方側端部から垂直方向に立ち上げられた垂直部２０ｂを有している。さらに、垂直部２０ｂからかご室本体１００外方に向かって水平方向に延在された水平部２０ｃと、水平部２０ｃのかご室本体１００外方側端部から垂直に立ち上げられた垂直部２０ｄと、垂直部２０ｄからかご室本体１００内方に向かって水平方向に延在された締結部２０ｅとを有している。
【００４８】
床端板２０の締結部２０ａを床面板１９の締結部１９ｃに接触させ、ボルト及びナット２１用いて締結させる。さらに、壁パネル４の締結部４ｂを床端板２０の締結部２０ｅに接触させ、ボルト及びナット５を用いて締結させる。これによって壁パネル４は床パネル２に立設されて固定されることになる。このとき、垂直部２０ｂの垂直部１９ｂと対向する面は、壁パネル４の壁面部４ａの内表面と同一面上にある。
【００４９】
床面板１９の垂直部１９ｂと床端板２０の垂直部２０ｂとは互いに対向して位置しており、垂直部１９ｂと垂直部２０ｂとで保護カバー２２の下端部が挿入される下端部用挿入部が形成される。床面板１９の締結部１９ｃと床端板２０の締結部２０ａとが締結されたとき、床面板１９の垂直部１９ｂと床端板２０の垂直部２０ｂとの対向面同士の間隔は、保護カバー２２と密着させるため保護カバー２２の厚さと同じである。
【００５０】
保護カバー２２は四角形状をしており、横方向長さは装着される壁パネル４の幅と同じである。保護カバー２２の縦方向長さは手すり９のブラケット９ｂの下面と床面板１９の床面部１９ａとの間の距離より長く、ブラケット９ｂの切り欠き９ｃの底面と床面板１９の締結部１９ｃの上面との間の距離以下、好ましくは若干短い。保護カバー２２は弾性変形可能な薄板材によって形成される。保護カバー２２は壁パネル４の下端において、壁面部４ａからかご室本体１００外方に向かって形成された空間部を覆う機能も有している。この空間部は壁パネル４を床面板１９に立設して固定するために設けられた床端板２０によって生じたものである。
【００５１】
保護カバー２２はまず、その下端を床面板１９の垂直部１９ｂと床端板２０の垂直部２０ｂとの間に差し込む。その後、保護カバー２２の弾性変形を利用して湾曲させ、上端をブラケット９ｂの切り欠き９ｃに差し込む。これにより、保護カバー２２は壁パネル４の内表面に接して取り付けられ、壁パネル４の内表面を保護する。また、垂直部１９ｂと垂直部２０ｂとで形成される幅は保護カバー２２の厚さと同じであるため、保護カバー２２の下端は垂直部１９ｂと垂直部２０ｂとの接触抵抗（摩擦力）により、上端はブラケット９ｂ及び壁パネル４の接触抵抗（摩擦力）により、簡単にずれることはない。
【００５２】
上記した実施の形態４では、保護カバー２２が壁パネル４の内表面を直接覆うものとして説明したが、表面に塗装がされた壁パネル４の内表面を覆うこと、フィルム又はシールが貼られた壁パネル４の内表面を覆うこと、又はその他の取り付けられた部材の上から壁パネルの表面を覆うようにしても良いものである。
【００５３】
また、垂直部１９ｂと垂直部２０ｂとで形成される幅を保護カバー２２の厚さと同じであるとしたが、自立可能な剛性を有する保護カバー２２を用いる場合にはその厚さを、垂直部１９ｂと垂直部２０ｂとで形成される幅よりも薄くしてもよい。
【００５４】
以上のように、手すり９のブラケット９ｂに保護カバー２２の上端部用挿入部である切欠き９ｃを形成し、床面板１９の垂直部１９ｂと床端板２０の垂直部２０ｂとで保護カバー２２の下端部が挿入される下端部用挿入部を形成した。そのため、実施の形態１と同様の効果が得られる。また、壁面部４ａからかご室本体１００外方に向かって形成された空間部を保護カバー２２で覆うようにしたので、巾木が必要なく部品点数をさらに削減することができる。
【００５５】
なお、上述においては、手すり９と床面板１９及び床端板２０との両方を用いてカバー２２を取り付けたが、床面板１９及び床端板２０のみを用いてもよい。この場合、保護カバー２２の下端部を垂直部１９ｂと垂直部２０ｂとの間に挿入し、上端部を従来の方法で取り付けることで、保護カバー２２が壁パネル４の内表面の一部を覆うようにする。少なくとも保護カバー２２の下端部において、部品点数の削減と壁パネルへの穴加工等が不要となる。
【００５６】
実施の形態５．
以下にこの発明の実施の形態５を、図１０を用いて説明する。図１０において、図３又は図９と同一又は対応する構成については、同一符号を付し、説明を省略する。
【００５７】
床パネル２３は図１０に示すようにかご室本体１００の床を構成する平面四角形状の床面部２３ａを有し、この床面部２３ａの４辺のうちかご室本体１００の背面及び両側面側に位置する３辺のそれぞれから垂直方向に立ち下げられた垂直部２３ｂを有している。さらに、床パネル２３は、この垂直部２３ｂからかご室本体１００外方に向かって水平方向に延在された水平部２３ｃと、水平部２３ｃのかご室本体１００外方端部から垂直方向に立ち上げられた垂直部２３ｄと、垂直部２３ｄからかご室本体１００内方に向かって水平方向に延在された締結部２３ｅを有している。
【００５８】
壁パネル４の締結部４ｂを床パネル２３の締結部２３ｅに接触させ、ボルト及びナット５を用いて締結させる。これによって壁パネル４は床パネル２３に立設されて固定されることになる。
【００５９】
床パネル２３の垂直部２３ｂは保護カバー２２が接する面を有しており、保護カバー２２の下端部が挿入される下端部用挿入部となる。垂直部２３ｂと保護カバー２２とを密着させるため、垂直部２３ｂの保護カバー２２が接する表面と壁パネル４の壁面部４ａの内表面との水平方向の長さは保護カバー２２の厚さと同じになるよう設定される。
【００６０】
保護カバー２２は壁パネル４の下端において、壁面部４ａからかご室本体１００外方に向かって形成された空間部を覆う機能も有している。この空間部は壁パネル４を床パネル２３に立設して固定するために設けられた水平部２３ｃ及び垂直部２３ｄによって生じたものである。
【００６１】
保護カバー２２はまず、その下端を床パネル２３の水平部２３ｃ及び垂直部２３ｄによって生じた空間部に差し込む。その後、保護カバー２２の弾性変形を利用して湾曲させ、上端をブラケット９ｂの切り欠き６ａに差し込むと同時に下端を垂直部２３ｂに面接触させる。これにより、保護カバー２２は壁パネル４の内表面に接して取り付けられ、壁パネル４の内表面を保護する。また、垂直部２３ｂの表面と壁面部４ａの表面との水平離間距離は保護カバー２２の厚さと同じであるため、保護カバー２２の下端は垂直部２３ｂとの接触抵抗（摩擦力）により、上端はブラケット９ｂ及び壁パネル４の接触抵抗（摩擦力）により、簡単にずれることはない。
【００６２】
なお、垂直部２３ｂの表面と壁面部４ａの表面との水平離間距離を保護カバー２２の厚さと同じであるとしたが、自立可能な剛性を有する保護カバー２２を用いる場合にはその厚さを、垂直部２３ｂの表面と壁面部４ａの表面との水平離間距離よりも薄くしてもよい。
【００６３】
以上のように、手すり９のブラケット９ｂに保護カバー２２の上端部用挿入部である切欠き９ｃを形成し、床パネル２３に保護カバー２２の下端部が挿入される下端部用挿入部である垂直部２３ｂを形成した。そのため、実施の形態１と同様の効果が得られる。また、保護カバー２２を取り付ける際、保護カバー２２の下端を床パネル２３の水平部２３ｃ及び垂直部２３ｄによって生じた広い空間部に差し込んでおき、その後保護カバー２２の上端をブラケット９ｂの切り欠き９ｃに差し込むと同時に保護カバー２２の下端を垂直部２３ｂに面接触させるようにしたので、保護カバー２２が取り付けやすい。
【００６４】
なお、上述においては、手すり９と床パネル２３の両方を用いてカバー２２を取り付けたが、床パネル２３のみを用いてもよい。この場合、保護カバー２２の下端部を垂直部２３ｂに挿入し、上端部を従来の方法で取り付けることで、保護カバー２２が壁パネル４の内表面の一部を覆うようにする。少なくとも保護カバー２２の下端部において、部品点数の削減と壁パネルへの穴加工等が不要となる。
【００６５】
実施の形態６．
以下にこの発明の実施の形態６を図１１及び図１２を用いて説明する。図１１において、図１と同一又は対応する構成については、同一符号を付し、説明を省略する。図１２において、図３と同一又は対応する構成については、同一符号を付し、説明を省略する。かご室本体１００は図１１に示すように正面の片開きの扉１及び正面パネル、床パネル２及び天井パネル３、背面及び両側面の壁パネル４を有する。
【００６６】
天井パネル３は図１２に示すようにかご室本体１００の天井を構成する平面四角形状の天井面部３ａを有し、この天井面部３ａの４辺それぞれから垂直方向に立ち上げられた垂直部３ｂと、この垂直部３ｂからかご室本体１００外方に向かって水平方向に延在された載置部３ｃとを有している。
【００６７】
背面及び両側面の壁パネル４は天井パネル３を支持し、図１２に示すようにかご室本体１００の壁を構成する壁面部４ａを有し、この壁面部４ａの上端部にかご室本体１００外方に向かって水平方向に延在された支持部４ｃを有している。この支持部４ｃに天井パネル３の載置部３ｃが載置されることで天井パネル３は壁パネル４により支持されることになる。
【００６８】
天井パネル３の垂直部３ｂと壁パネル４の壁面部４ａとは互いに対向して位置しており、垂直部３ｂと壁面部４ａとで保護カバー２４の上端部が挿入される上端部用挿入部が形成される。垂直部３ｂと壁面部４ａとの対向面同士の間隔は、保護カバー２４と密着させるため保護カバー２４の厚さと同じである。
【００６９】
手すり２５は図１１に示すように、床パネル２からの高さが１ｍの位置の壁パネル４に固定される。手すり２５は水平に配置される横木９ａを有し、この横木９ａに取り付けられるとともに壁パネル４に固定されるブラケット２５ｂとを有する。ブラケット２５ｂは横木９ａの両端部にそれぞれ設けたもの、横木９ａに沿って複数個設けられたもの、横木９ａに沿って水平方向に延在されたもののいずれかである。
【００７０】
壁パネル４の内表面に接するブラケット２５ｂの固定面の上部に水平方向全長に亘って切欠き２５ｃが形成されている。この切欠き２５ｃは保護カバー２４の下端部用挿入部となる。ブラケット２５ｂの固定面が壁パネル４の内表面に接して固定されたとき、切欠き２５ｃと壁パネル４の内表面とで凹部が形成される。この凹部の幅、つまり、切欠き２５ｃの水平方向長さは保護カバー２４と密着させるため保護カバー２４の厚さと同じである。
【００７１】
保護カバー２４は四角形状をしており、横方向長さは装着される壁パネル４の幅と同じである。保護カバー２４の縦方向長さは手すり２５のブラケット２５ｂの上面と天井パネル３の天井面部３ａの表面との間の距離より長く、ブラケット２５ｂの切り欠き２５ｃの底面と載置部３ｃの底面との間の距離以下である。保護カバー２４は弾性変形可能な薄板材によって形成される。
【００７２】
保護カバー２４はまず、その下端をブラケット２５ｂの切り欠き２５ｃに差し込む。その後、保護カバー２４の弾性変形を利用して湾曲させ、上端を天井パネル３の垂直部３ｂと壁パネル４の壁面部４ａとの間に差し込む。これにより、保護カバー２４は壁パネル４の内表面に接して取り付けられ、壁パネル４の内表面を保護する。また、切欠き２５ｃの水平方向長さ及び垂直部３ｂと壁面部４ａとで形成される幅は保護カバー２４の厚さと同じであるため、保護カバー２４の下端はブラケット２５ｂ及び壁パネル４の接触抵抗（摩擦力）により、上端は垂直部３ｂと壁面部４ａとの接触抵抗（摩擦力）により、簡単にずれることはない。
【００７３】
上記した実施の形態６では、保護カバー２４が壁パネル４の内表面を直接覆うものとして説明したが、表面に塗装がされた壁パネル４の内表面を覆うこと、フィルム又はシールが貼られた壁パネル４の内表面を覆うこと、又はその他の取り付けられた部材の上から壁パネルの表面を覆うようにしても良いものである。
【００７４】
また、切欠き２５ｃの水平方向長さ及び垂直部３ｂと壁面部４ａとの対向面同士の間隔を保護カバー２４の厚さと同じであるとしたが、自立可能な剛性を有する保護カバー２４を用いる場合にはその厚さを、切欠き２５ｃの水平方向長さ及び垂直部３ｂと壁面部４ａとで形成される幅よりも薄くしてもよい。
【００７５】
なお、上述においては手すり２５を利用して保護カバー２４を取り付けたが、図１３に示す鏡２６、図１４に示す広告掲載枠又は表示装置２７といった他のかご室内備品を利用して取り付けることもできる。鏡２６と広告掲載枠又は表示装置２７の詳細な構造については説明を省略するが、手すり２５と同様に保護カバー２４の下端部用挿入部である切欠き２５ｃを、鏡２６と広告掲載枠又は表示装置２７の壁パネル４の内表面に接する装着面の上部に水平方向全長に亘って形成すればよい。ここで、手すり２５、鏡２６、広告掲載枠又は表示装置２７はいずれも壁パネル４の上下方向中央部の位置に装着されるかご室内備品である。かご内に設けられるかご室内備品を用いることで、保護カバー２４を取り付けるための他部品が不要となり、部品点数を削減できる。
【００７６】
以上のように、天井パネル３の垂直部３ｂと壁パネル４の壁面部４ａとで保護カバー２４の上端部用挿入部を形成し、手すり２５のブラケット２５ｂに保護カバー２４の下端部用挿入部である切欠き２５ｃを形成した。そのため、保護カバー２４の取り付け及び取り外しをかご室内で行うことができ、作業性を向上させることができる。また、元々かご室内に設けられる手すり２５を用いるため、保護カバー２４を取り付けるための他部品が不要であり、部品点数を削減することができる。また、保護カバー２４を取り付けるための壁パネル４への穴加工等の必要性がなくなるため、取り付けの作業効率を高めることができる。
【００７７】
なお、上述においては、天井パネル３及び壁パネル４と手すり２５との両方を用いて保護カバー２４を取り付けたが、天井パネル３及び壁パネル４と手すり２５とのうち一方を用いてもよい。この場合、保護カバー２４の一方側を垂直部３ｂと壁面部４ａとの間又は切欠き２５ｃに挿入し、他方側を従来の方法で取り付けることで、保護カバー２４が壁パネル４の内表面の一部を覆うようにする。少なくとも保護カバー２４の一方側において、部品点数の削減と壁パネルへの穴加工等が不要となる。
【００７８】
実施の形態７．
以下にこの発明の実施の形態７を、図１５を用いて説明する。図１５において、図１２と同一又は対応する構成については、同一符号を付し、説明を省略する。
【００７９】
かご室本体１００は、かご室本体１００の上部を構成する天井パネル３４を有する。天井パネル３４は図１５に示すように天井面板２９及び天井端板３０で構成される。天井面板２９はかご室本体１００の天井を構成する平面四角形状の天井面部２９ａを有し、この天井面部２９ａの４辺のうちかご室本体１００の背面及び両側面側に位置する３辺のそれぞれから垂直方向に立ち上げられた垂直部２９ｂと、この垂直部２９ｂからかご室本体１００内方に向かって水平方向に延在された締結部２９ｃとを有している。
【００８０】
天井端板３０は、天井面板２９と壁パネル４の間に配置される。天井端板３０は、天井面板２９の締結部２９ｃに面接触する締結部３０ａと、締結部３０ａのかご室本体１００外方側端部から垂直に立ち下げられた垂直部３０ｂと、垂直部３０ｂからかご室本体１００外方に向かって水平方向に延在された水平部３０ｃとを有している。さらに、天井端板３０は、水平部３０ｃのかご室本体１００外方側端部から垂直に立ち上げられた垂直部３０ｄと、垂直部３０ｄからかご室本体１００外方に向かって水平方向に延在された載置部３０ｅとを有している。
【００８１】
天井端板３０の締結部３０ａを天井面板２９の締結部２９ｃに接触させ、ボルト及びナット３１を用いて締結させる。その上で、天井端板３０の載置部３０ｅを壁パネル４の支持部４ｃに載置することで天井面板２９及び天井端板３０は壁パネル４に支持される。
【００８２】
天井面板２９の垂直部２９ｂと天井端板３０の垂直部３０ｂとは互いに対向して位置しており、垂直部２９ｂと垂直部３０ｂとで保護カバー２４の上端部が挿入される上端部用挿入部が形成される。垂直部２９ｂと垂直部３０ｂとの対向面同士の間隔は、保護カバー２４と密着させるため保護カバー２４の厚さと同じである。
【００８３】
手すり３２は水平に配置される横木９ａを有し、この横木９ａに取り付けられるとともに壁パネル４に固定されるブラケット３２ｂとを有する。ブラケット３２ｂは横木９ａの両端部にそれぞれ設けたもの、横木９ａに沿って複数個設けられたもの、横木９ａに沿って水平方向に延在されたもののいずれかである。
【００８４】
ブラケット３２ｂの上部には水平方向全長に亘って凹溝３２ｃが形成されている。この凹溝３２ｃは保護カバー２４の下端部用挿入部となる。凹溝３２ｃの幅は保護カバー２４と密着させるため保護カバー２４の厚さと同じである。凹溝３２ｃはブラケット３２ｂの固定面が壁パネル４の内表面に接して固定されたとき、壁パネル４の内表面から離間した位置に配される。
【００８５】
保護カバー２４の縦方向長さは手すり３２のブラケット３２ｂの上面と天井面板２９の天井面部２９ａの表面との間の距離より長く、ブラケット３２ｂの切り欠き３２ｃの底面と締結部３０ａの底面との間の距離以下、好ましくは若干短い。
【００８６】
保護カバー２４はまず、その下端をブラケット３２ｂの切り欠き３２ｃに差し込む。その後、保護カバー２４の弾性変形を利用して湾曲させ、上端を天井面板２９の垂直部２９ｂと天井端板３０の垂直部３０ｂとの間に差し込む。これにより、保護カバー２４は壁パネル４の内表面に接して取り付けられ、壁パネル４の内表面を保護する。また、凹溝３２ｃの幅及び垂直部２９ｂと垂直部３０ｂとで形成される幅は保護カバー２４の厚さと同じであるため、保護カバー２４の下端はブラケット３２ｂとの接触抵抗（摩擦力）により、上端は垂直部２９ｂと垂直部３０ｂとの接触抵抗（摩擦力）により、簡単にずれることはない。
【００８７】
また、凹溝３２ｃの幅及び垂直部２９ｂと垂直部３０ｂとの対向面同士の間隔を保護カバー２４の厚さと同じであるとしたが、自立可能な剛性を有する保護カバー２４を用いる場合にはその厚さを、凹溝３２ｃの幅及び垂直部２９ｂと垂直部３０ｂとで形成される幅よりも薄くしてもよい。
【００８８】
なお、上述においては手すり３２を利用して保護カバー２４を取り付けたが、実施の形態６の図１３及び図１４に示すように、手すり３２の他に、鏡２６、広告掲載枠又は表示装置２７といった他のかご室内備品を利用して取り付けることもできる。鏡２６と広告掲載枠又は表示装置２７の詳細な構造については説明を省略するが、手すり３２と同様に保護カバー２４の下端部用挿入部である凹溝３２ｃを、鏡２６と広告掲載枠又は表示装置２７の壁パネル４の内表面に接する装着面の上部に形成すればよい。ここで、手すり３２、鏡２６、広告掲載枠又は表示装置２７はいずれも壁パネル４の上下方向中央部の位置に装着されるかご室内備品である。かご内に設けられるかご室内備品を用いることで、保護カバー２４を取り付けるための他部品が不要となり、部品点数を削減できる。
【００８９】
以上のように、天井面板２９の垂直部２９ｂと天井端板３０の垂直部３０ｂとで保護カバー２４の上端部用挿入部を形成し、手すり３２のブラケット３２ｂに保護カバー２４の下端部用挿入部である凹溝３２ｃを形成した。そのため、実施の形態１と同様の効果が得られる。また、ブラケット３２ｂの固定面が壁パネル４の内表面に接して固定されたときに壁パネル４の内表面から離間した位置に凹溝３２ｃが配されるようにし、垂直部２９ｂ及び垂直部３０ｂが壁パネル４の内表面から水平方向に離間した位置に配されるようにしたので、保護カバー２４と壁パネル４との間には間隙が形成される。そのため、保護カバー２４と壁パネル４との密着性が低く、保護カバー２４を壁パネル４から取り外しやすい。
【００９０】
なお、上述においては、天井面板２９及び天井端板３０と手すり３２との両方を用いて保護カバー２４を取り付けたが、天井面板２９及び天井端板３０と手すり３２とのうち一方を用いてもよい。この場合、保護カバー２４の一方側を垂直部２９ｂと垂直部３０ｂとの間又は凹溝３２ｃに挿入し、他方側を従来の方法で取り付けることで、保護カバー２４が壁パネル４の内表面の一部を覆うようにする。少なくとも保護カバー２４の一方側において、部品点数の削減と壁パネルへの穴加工等が不要となる。
【００９１】
実施の形態８．
映画館等においては壁パネル４に大きな広告を貼り付けることがあるが、上映される映画に応じて広告が頻繁に変更される。これまでの広告の変更は、かご室本体１００内において壁パネル４に貼り付けられている広告（例えばポスター）を剥がし、かご室本体１００内に運び込んだ新しい広告を壁パネル４に貼り付けることで行っていた。しかし、壁パネル４から広告を剥がす作業と壁パネル４へ広告を貼り付ける作業は、いずれもかご室本体１００内での作業である。よって、作業スペースが狭く作業しにくいため、広告の変更に時間がかかり、エレベーターを停止させておく時間も長くなってしまうという問題があった。さらに、広告を壁パネル４へ貼り付けていたために剥がしにくいという問題もあった。
【００９２】
そこで、実施の形態１〜７におけるかご室において、カバー８、２２、２４に広告を貼り付け、カバー８、２２、２４を壁パネル４に取り付けるようにすれば、カバー８、２２、２４への広告の貼り付けは工場などの広い空間で作業することができ、カバー８、２２、２４の壁パネル４への取り付けを短時間で行うことができる。さらに、カバー８、２２、２４の交換により広告が変更でき高い作業効率を確保することができる。
【００９３】
実施の形態９．
実施の形態１から７についての上記説明では、実施の形態１から３においてかご室内備品と巾木とを壁パネルの下部に保護カバーを取り付ける例を示し、実施の形態４及び５においてかご室内備品と床パネルを用いて壁パネルの下部に保護カバーを取り付ける例を示し、実施の形態６及び７においてかご室内備品と天井パネルとを用いて壁パネルの上部に保護カバーを取り付ける例を示した。
【００９４】
保護カバーを壁パネルの下部にとりつける実施の形態１から５と、保護カバーを壁パネルの上部に取り付ける実施の形態６及び７は互いに組み合わせることができ、組み合わせにより壁パネルの大部分を保護カバーで容易に覆うことができる構成となる。なお、壁パネルの上部を覆う保護カバーと壁パネルの下部を覆う保護カバーとを互いに接触する位置まで延在すれば、壁パネルの一面を覆うようにカバーを取り付けることができる。この際、壁パネルの上部を覆う保護カバーと下部を覆う保護カバーとが面接触するようにそれぞれの保護カバーの形状を決定しておけば、壁パネルに対し２つの保護カバーをより安定した状態で取り付けることができる。また、壁パネルが露出しないように２つの保護カバーを取り付けることで高い意匠性が得られる。
【００９５】
また、かご室内において保護カバーの取り付けと取り外しを行うことができるため、老朽化したエレベーター用かごの改修を行う場合に適用すると作業効率向上の効果が得られる。
【符号の説明】
【００９６】
２、２３、３３  床パネル
３、３４  天井パネル
４  壁パネル
６、１６、１８  巾木
８、２２、２４  保護カバー
９、１７、２５、３２  手すり
【図１】
2014195996.tif 000003
【図２】
2014195996.tif 000004
【図３】
2014195996.tif 000005
【図４】
2014195996.tif 000006
【図５】
2014195996.tif 000007
【図６】
2014195996.tif 000008
【図７】
2014195996.tif 000009
【図８】
2014195996.tif 000010
【図９】
2014195996.tif 000011
【図１０】
2014195996.tif 000012
【図１１】
2014195996.tif 000013
【図１２】
2014195996.tif 000014
【図１３】
2014195996.tif 000015
【図１４】
2014195996.tif 000016
【図１５】
2014195996.tif 000017
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
天井パネルと、床パネルと、これら床パネルと天井パネルとの間に配置された壁パネルとを有するかご室本体、
上記壁パネルの内表面に、上下方向中央部の位置に装着されたかご室内備品、
上記かご室内備品に形成された端部用挿入部に一端部が挿入され、
上記壁パネルの内表面の一部を覆う保護カバーを備えたエレベーター用かご。
【請求項２】
上記かご室内備品は、上記壁パネルの内表面に固定されたブラケットと、このブラケットに取り付けられ、水平に配置される横木とを有する手すりであり、
上記端部用挿入部は上記ブラケットの下部に形成されていることを特徴とする請求項１記載のエレベーター用かご。
【請求項３】
上記端部用挿入部は、上記壁パネルの内表面とで凹部を形成する、水平方向全長に亘って形成された切欠きであることを特徴とする請求項２記載のエレベーター用かご。
【請求項４】
上記凹部の幅は上記保護カバーの厚さと同じであることを特徴とする請求項３記載のエレベーター用かご。
【請求項５】
上記端部用挿入部は、上記ブラケットの水平方向全長に亘って形成された凹溝であることを特徴とする請求項２記載のエレベーター用かご。
【請求項６】
上記凹溝の幅は上記保護カバーの厚さと同じであることを特徴とする請求項５記載のエレベーター用かご。
【請求項７】
天井パネルと、床パネルと、これら床パネルと天井パネルとの間に配置された壁パネルとを有するかご室本体、
上記壁パネルと上記床パネルとの間に配置された巾木、
上記壁パネルの内表面に、上下方向中央部の位置に装着されたかご室内備品、
上記巾木に形成された凹溝に下端部が挿入され、上記巾木と上記かご室内備品との間の上記壁パネルの内表面を覆う保護カバーを備えたエレベーター用かご。
【請求項８】
上記凹溝は、上記巾木の水平方向全長に亘って形成されたことを特徴とする請求項７記載のエレベーター用かご。
【請求項９】
上記凹溝の幅は上記保護カバーの厚さと同じであることを特徴とする請求項８記載のエレベーター用かご。
【請求項１０】
上記かご室内備品は、下部に上記保護カバーの上端部が挿入される凹溝が形成され、上記壁パネルの内表面に固定されたブラケットと、このブラケットに取り付けられ、水平に配置される横木とを有する手すりであることを特徴とする請求項７から請求項9のいずれか１項に記載のエレベーター用かご。
【請求項１１】
天井パネルと、床パネルと、これら床パネルと天井パネルとの間に配置された壁パネルとを有するかご室本体、
上記壁パネルと上記床パネルとの間に配置された巾木、
上記壁パネルの内表面に、上下方向中央部の位置に装着されたかご室内備品、
上記巾木に形成された切欠きに下端部が挿入され、上記巾木と上記かご室内備品との間の上記壁パネルの内表面を覆う保護カバー、を備え、
上記切欠きは、上記壁パネルの内表面側に位置する上記巾木側面から上面に亘り、上記巾木の水平方向全長に亘って形成されたことを特徴とするエレベーター用かご。
【請求項１２】
上記切欠きの側面は上記壁パネルの内表面と対向する面を有することを特徴とする請求項１１記載のエレベーター用かご。
【請求項１３】
上記切欠きの側面と上記壁パネルの内表面との間の水平方向の長さは上記保護カバーの厚さと同じであることを特徴とする請求項１１または請求項１２記載のエレベーター用かご。
【請求項１４】
上記かご室内備品は、下部に上記保護カバーの上端部が挿入される切欠きが形成され、上記壁パネルの内表面に固定されたブラケットと、このブラケットに取り付けられ、水平に配置される横木とを有する手すりであることを特徴とする請求項１１から請求項１３のいずれか１項に記載のエレベーター用かご。
【請求項１５】
天井パネルと、床パネルと、これら床パネルと天井パネルとの間に配置された壁パネルとを有するかご室本体、
上記壁パネルの内表面に、上下方向中央部の位置に装着されたかご室内備品、
上記床パネルに形成された下端部用挿入部に下端部が挿入され、上記床パネルと上記かご室内備品との間の上記壁パネルの内表面を覆う保護カバーを備え、
上記床パネルは、
床面部と、
上記壁パネルの内表面から上記かご室本体内側に位置し、上記床面部から下方に延在する第１垂直部と、
この第１垂直部から上記かご室本体外方に延在する第１締結部と、
この第１締結部の上面と面接触して上記第１締結部に固定される第２締結部と、
この第２締結部から上方に延在し、上記第１垂直部と対向して位置し、上記第１垂直部とで上記下端部用挿入部となる第２垂直部と、
この第２垂直部から上記かご室本体外方に延在する延在部と、
上記壁パネルの内表面から上記かご室本体外側に位置し、上記延在部から上方に延在する第３垂直部と、
この第３垂直部から上記かご室本体内方に延在し、上記壁パネルの下端部から上記かご室本体外方に延在された締結部の下面と面接触して上記壁パネルの締結部に固定される第２締結部と
を具備していることを特徴とするエレベーター用かご。
【請求項１６】
上記第２垂直部における上記第１垂直部と対向する面は上記壁パネルの内表面と同一面上にあることを特徴とする請求項１５記載のエレベーター用かご。
【請求項１７】
上記第１垂直部と第２垂直部との対向面同士の間隔は上記保護カバーの厚さと同じであることを特徴とする請求項１５又は請求項１６記載のエレベーター用かご。
【請求項１８】
上記かご室内備品は、下部に上記保護カバーの上端部が挿入される上端部用挿入部が形成され、上記壁パネルの内表面に固定されたブラケットと、このブラケットに取り付けられ、水平に配置される横木とを有する手すりであることを特徴とする請求項１５から請求項１７のいずれか１項に記載のエレベーター用かご。
【請求項１９】
天井パネルと、床パネルと、これら床パネルと天井パネルとの間に配置された壁パネルとを有するかご室本体、
上記壁パネルの内表面に、上下方向中央部の位置に装着されたかご室内備品、
上記床パネルに形成された下端部用挿入部に下端部が挿入され、上記床パネルと上記かご室内備品との間の上記壁パネルの内表面を覆う保護カバー
を備え、
上記床パネルは、
床面部と、
上記壁パネルの内表面から上記かご室本体内側に位置し、上記床面部から下方に延在し、上記保護カバーの表面が接する面を有して上記下端部用挿入部となる第１垂直部と、
この第１垂直部から上記かご室本体外方に延在する延在部と、
上記壁パネルの内表面から上記かご室本体外側に位置し、上記延在部から上方に延在する第２垂直部と、
この第２垂直部から上記かご室本体内方に延在し、上記壁パネルの下端部から上記かご室本体外方に延在された締結部の下面と面接触して上記壁パネルの締結部に固定される締結部と
を具備していることを特徴とするエレベーター用かご。
【請求項２０】
上記第１垂直部における上記保護カバーの表面が接する面と上記壁パネルの内表面との間の水平方向の長さは上記保護カバーの厚さと同じであることを特徴とする請求項１９記載のエレベーター用かご。
【請求項２１】
上記かご室内備品は、下部に上記保護カバーの上端部が挿入される上端部用挿入部が形成され、上記壁パネルの内表面に固定されたブラケットと、このブラケットに取り付けられ、水平に配置される横木とを有する手すりであることを特徴とする請求項１９又は請求項２０に記載のエレベーター用かご。
【請求項２２】
天井パネルと、床パネルと、これら床パネルと天井パネルとの間に配置された壁パネルとを有するかご室本体、
上記壁パネルの内表面に、上下方向中央部の位置に装着されたかご室内備品、
上記天井パネルに形成された上端部用挿入部に上端部が挿入され、上記天井パネルと上記かご室内備品との間の上記壁パネルの内表面を覆う保護カバーを備え、
上記天井パネルは、
天井面部と、
上記壁パネルの内表面から上記かご室本体内側に位置し、上記天井面部から上方に延在し、上記壁パネルと対向して位置し、上記壁パネルとで上記保護カバーの上端部が挿入される上記端部用挿入部となる垂直部と、
この垂直部から上記かご室本体外方に延在し、上記壁パネルの上端部から上記かご室本体外方に延在された支持部の上面と面接触して上記支持部に載置される載置部と、
を備えることを特徴とするエレベーター用かご。
【請求項２３】
上記垂直部と上記壁パネルとの対向面同士の間隔は上記保護カバーの厚さと同じであることを特徴とする請求項２２記載のエレベーター用かご。
【請求項２４】
上記かご室内備品は、上部に上記保護カバーの下端部が挿入される下端部用挿入部が形成され、上記壁パネルの内表面に固定されたブラケットと、このブラケットに取り付けられ、水平に配置される横木とを有する手すりであることを特徴とする請求項２２又は請求項２３に記載のエレベーター用かご。
【請求項２５】
天井パネルと、床パネルと、これら床パネルと天井パネルとの間に配置された壁パネルとを有するかご室本体、
上記壁パネルの内表面に、上下方向中央部の位置に装着されたかご室内備品、
上記天井パネルに形成された上端部用挿入部に上端部が挿入され、上記天井パネルと上記かご室内備品との間の上記壁パネルの内表面を覆う保護カバー
を備え、
上記天井パネルは、
天井面部と、
上記壁パネルの内表面から上記かご室本体内側に位置し、上記天井面部から上方に延在する第１垂直部と、
この第１垂直部から上記かご室本体内方に延在する第１締結部と、
この第１締結部の上面と面接触して上記第１締結部に固定される第２締結部と、
この第２締結部から下方に延在し、上記第１垂直部と対向して位置し、上記第１垂直部とで上記保護カバーの上端部が挿入される上記端部用挿入部となる第２垂直部と、
この第２垂直部から上記かご室本体外方に延在する水平部と、
この水平部から上方に延在する第３垂直部と、
この第３垂直部から上記かご室本体外方に延在し、上記壁パネルの上端部から上記かご室本体外方に延在された支持部の上面と面接触して上記支持部に載置される載置部と、
を具備していることを特徴とするエレベーター用かご。
【請求項２６】
上記第１垂直部と上記第２垂直部との対向面同士の間隔は上記保護カバーの厚さと同じであることを特徴とする請求項２５記載のエレベーター用かご。
【請求項２７】
上記かご室内備品は、上部に上記保護カバーの下端部が挿入される下端部用挿入部が形成され、上記壁パネルの内表面に固定されたブラケットと、このブラケットに取り付けられ、水平に配置される横木とを有する手すりであることを特徴とする請求項２５又は請求項２６に記載のエレベーター用かご。
【請求項２８】
天井パネルと、床パネルと、これら床パネルと天井パネルとの間に配置された壁パネルとを有するかご室本体、
下部に上端部用挿入部が形成され、上記壁パネルの内表面に固定されたブラケットと、このブラケットに取り付けられ、水平に配置される横木とを有する手すり、
上部に下端部用挿入部が形成され、上記壁パネルと上記床パネルとの間に配置された巾木、
上記手すりの上端部用挿入部に上端部が挿入され、上記巾木の下端部用挿入部に下端部が挿入され、上記壁パネルの内表面の一部を覆う保護カバー
を備えたエレベーター用かご。
【請求項２９】
上記床パネルは、床面部と、この床面部から垂直方向に立ち上げられた垂直部と、この垂直部から上記かご室本体内方に向かって延在された締結部とを有し、
上記壁パネルは、壁面部と、この壁面部の下端部から上記かご室本体外方に向かって延在され、上記床パネルの締結部の上面と面接触して上記床パネルの締結部に固定される締結部とを有し、
上記巾木は、上記床パネルの床面部と上記壁パネルの締結部との間に配置されること
を特徴とする請求項２８に記載のエレベーター用かご。
【請求項３０】
上記下端部用挿入部は上記巾木の上面に水平方向全長に亘って形成された凹溝であることを特徴とする請求項２８または請求項２９記載のエレベーター用かご。
【請求項３１】
上記凹溝の幅は上記保護カバーの厚さと同じであることを特徴とする請求項３０２９記載のエレベーター用かご。
【請求項３２】
上記上端部用挿入部は、上記壁パネルの内表面とで凹部を形成する、水平方向全長に亘って形成された切欠きであることを特徴とする請求項２８から請求項３１のいずれか１項に記載のエレベーター用かご。
【請求項３３】
上記凹部の幅は上記保護カバーの厚さと同じであることを特徴とする請求項３２記載のエレベーター用かご。
【請求項３４】
前記保護カバーには広告が貼り付けられることを特徴とする請求項１から請求項３３のいずれか１項に記載のエレベーター用かご。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
天井パネルと、床パネルと、これら床パネルと天井パネルとの間に配置された壁パネルとを有するかご室本体、
上記壁パネルの内表面に、上下方向中央部の位置に装着されたかご室内備品、
上記かご室内備品に形成された端部用挿入部に一端部が挿入され、
上記壁パネルの内表面の一部を覆う保護カバーを備えたエレベーター用かご。
【請求項２】
上記かご室内備品は、上記壁パネルの内表面に固定されたブラケットと、このブラケットに取り付けられ、水平に配置される横木とを有する手すりであり、
上記端部用挿入部は上記ブラケットの下部に形成されていることを特徴とする請求項１記載のエレベーター用かご。
【請求項３】
上記端部用挿入部は、上記壁パネルの内表面とで凹部を形成する、水平方向全長に亘って形成された切欠きであることを特徴とする請求項２記載のエレベーター用かご。
【請求項４】
上記凹部の幅は上記保護カバーの厚さと同じであることを特徴とする請求項３記載のエレベーター用かご。
【請求項５】
上記端部用挿入部は、上記ブラケットの水平方向全長に亘って形成された凹溝であることを特徴とする請求項２記載のエレベーター用かご。
【請求項６】
上記凹溝の幅は上記保護カバーの厚さと同じであることを特徴とする請求項５記載のエレベーター用かご。
【請求項７】
天井パネルと、床パネルと、これら床パネルと天井パネルとの間に配置された壁パネルとを有するかご室本体、
上記壁パネルと上記床パネルとの間に配置された巾木、
上記壁パネルの内表面に、上下方向中央部の位置に装着されたかご室内備品、
上記巾木に形成された凹溝に下端部が挿入され、上記巾木と上記かご室内備品との間の上記壁パネルの内表面を覆う保護カバーを備えたエレベーター用かご。
【請求項８】
上記凹溝は、上記巾木の水平方向全長に亘って形成されたことを特徴とする請求項７記載のエレベーター用かご。
【請求項９】
上記凹溝の幅は上記保護カバーの厚さと同じであることを特徴とする請求項８記載のエレベーター用かご。
【請求項１０】
上記かご室内備品は、下部に上記保護カバーの上端部が挿入される凹溝が形成され、上記壁パネルの内表面に固定されたブラケットと、このブラケットに取り付けられ、水平に配置される横木とを有する手すりであることを特徴とする請求項７から請求項9のいずれか１項に記載のエレベーター用かご。
【請求項１１】
天井パネルと、床パネルと、これら床パネルと天井パネルとの間に配置された壁パネルとを有するかご室本体、
上記壁パネルと上記床パネルとの間に配置された巾木、
上記壁パネルの内表面に、上下方向中央部の位置に装着されたかご室内備品、
上記かご室内備品に形成された端部用挿入部に一端部が挿入され、上記巾木に形成された切欠きに下端部が挿入され、上記巾木と上記かご室内備品との間の上記壁パネルの内表面を覆う保護カバー、を備え、
上記切欠きは、上記壁パネルの内表面側に位置する上記巾木側面から上面に亘り、上記巾木の水平方向全長に亘って形成されたことを特徴とするエレベーター用かご。
【請求項１２】
上記切欠きの側面は上記壁パネルの内表面と対向する面を有することを特徴とする請求項１１記載のエレベーター用かご。
【請求項１３】
上記切欠きの側面と上記壁パネルの内表面との間の水平方向の長さは上記保護カバーの厚さと同じであることを特徴とする請求項１１または請求項１２記載のエレベーター用かご。
【請求項１４】
上記かご室内備品は、下部に上記保護カバーの上端部が挿入される切欠きが形成され、上記壁パネルの内表面に固定されたブラケットと、このブラケットに取り付けられ、水平に配置される横木とを有する手すりであることを特徴とする請求項１１から請求項１３のいずれか１項に記載のエレベーター用かご。
【請求項１５】
天井パネルと、床パネルと、これら床パネルと天井パネルとの間に配置された壁パネルとを有するかご室本体、
上記壁パネルの内表面に、上下方向中央部の位置に装着されたかご室内備品、
上記床パネルに形成された下端部用挿入部に下端部が挿入され、上記床パネルと上記かご室内備品との間の上記壁パネルの内表面を覆う保護カバーを備え、
上記床パネルは、
床面部と、
上記壁パネルの内表面から上記かご室本体内側に位置し、上記床面部から下方に延在する第１垂直部と、
この第１垂直部から上記かご室本体外方に延在する第１締結部と、
この第１締結部の上面と面接触して上記第１締結部に固定される第２締結部と、
この第２締結部から上方に延在し、上記第１垂直部と対向して位置し、上記第１垂直部とで上記下端部用挿入部となる第２垂直部と、
この第２垂直部から上記かご室本体外方に延在する延在部と、
上記壁パネルの内表面から上記かご室本体外側に位置し、上記延在部から上方に延在する第３垂直部と、
この第３垂直部から上記かご室本体内方に延在し、上記壁パネルの下端部から上記かご室本体外方に延在された締結部の下面と面接触して上記壁パネルの締結部に固定される第２締結部と
を具備していることを特徴とするエレベーター用かご。
【請求項１６】
上記第２垂直部における上記第１垂直部と対向する面は上記壁パネルの内表面と同一面上にあることを特徴とする請求項１５記載のエレベーター用かご。
【請求項１７】
上記第１垂直部と第２垂直部との対向面同士の間隔は上記保護カバーの厚さと同じであることを特徴とする請求項１５又は請求項１６記載のエレベーター用かご。
【請求項１８】
上記かご室内備品は、下部に上記保護カバーの上端部が挿入される上端部用挿入部が形成され、上記壁パネルの内表面に固定されたブラケットと、このブラケットに取り付けられ、水平に配置される横木とを有する手すりであることを特徴とする請求項１５から請求項１７のいずれか１項に記載のエレベーター用かご。
【請求項１９】
天井パネルと、床パネルと、これら床パネルと天井パネルとの間に配置された壁パネルとを有するかご室本体、
上記壁パネルの内表面に、上下方向中央部の位置に装着されたかご室内備品、
上記床パネルに形成された下端部用挿入部に下端部が挿入され、上記床パネルと上記かご室内備品との間の上記壁パネルの内表面を覆う保護カバー
を備え、
上記床パネルは、
床面部と、
上記壁パネルの内表面から上記かご室本体内側に位置し、上記床面部から下方に延在し、上記保護カバーの表面が接する面を有して上記下端部用挿入部となる第１垂直部と、
この第１垂直部から上記かご室本体外方に延在する延在部と、
上記壁パネルの内表面から上記かご室本体外側に位置し、上記延在部から上方に延在する第２垂直部と、
この第２垂直部から上記かご室本体内方に延在し、上記壁パネルの下端部から上記かご室本体外方に延在された締結部の下面と面接触して上記壁パネルの締結部に固定される締結部と
を具備していることを特徴とするエレベーター用かご。
【請求項２０】
上記第１垂直部における上記保護カバーの表面が接する面と上記壁パネルの内表面との間の水平方向の長さは上記保護カバーの厚さと同じであることを特徴とする請求項１９記載のエレベーター用かご。
【請求項２１】
上記かご室内備品は、下部に上記保護カバーの上端部が挿入される上端部用挿入部が形成され、上記壁パネルの内表面に固定されたブラケットと、このブラケットに取り付けられ、水平に配置される横木とを有する手すりであることを特徴とする請求項１９又は請求項２０に記載のエレベーター用かご。
【請求項２２】
天井パネルと、床パネルと、これら床パネルと天井パネルとの間に配置された壁パネルとを有するかご室本体、
上記壁パネルの内表面に、上下方向中央部の位置に装着されたかご室内備品、
上記天井パネルに形成された上端部用挿入部に上端部が挿入され、上記天井パネルと上記かご室内備品との間の上記壁パネルの内表面を覆う保護カバーを備え、
上記天井パネルは、
天井面部と、
上記壁パネルの内表面から上記かご室本体内側に位置し、上記天井面部から上方に延在し、上記壁パネルと対向して位置し、上記壁パネルとで上記保護カバーの上端部が挿入される上記端部用挿入部となる垂直部と、
この垂直部から上記かご室本体外方に延在し、上記壁パネルの上端部から上記かご室本体外方に延在された支持部の上面と面接触して上記支持部に載置される載置部と、
を備えることを特徴とするエレベーター用かご。
【請求項２３】
上記垂直部と上記壁パネルとの対向面同士の間隔は上記保護カバーの厚さと同じであることを特徴とする請求項２２記載のエレベーター用かご。
【請求項２４】
上記かご室内備品は、上部に上記保護カバーの下端部が挿入される下端部用挿入部が形成され、上記壁パネルの内表面に固定されたブラケットと、このブラケットに取り付けられ、水平に配置される横木とを有する手すりであることを特徴とする請求項２２又は請求項２３に記載のエレベーター用かご。
【請求項２５】
天井パネルと、床パネルと、これら床パネルと天井パネルとの間に配置された壁パネルとを有するかご室本体、
上記壁パネルの内表面に、上下方向中央部の位置に装着されたかご室内備品、
上記天井パネルに形成された上端部用挿入部に上端部が挿入され、上記天井パネルと上記かご室内備品との間の上記壁パネルの内表面を覆う保護カバー
を備え、
上記天井パネルは、
天井面部と、
上記壁パネルの内表面から上記かご室本体内側に位置し、上記天井面部から上方に延在する第１垂直部と、
この第１垂直部から上記かご室本体内方に延在する第１締結部と、
この第１締結部の上面と面接触して上記第１締結部に固定される第２締結部と、
この第２締結部から下方に延在し、上記第１垂直部と対向して位置し、上記第１垂直部とで上記保護カバーの上端部が挿入される上記端部用挿入部となる第２垂直部と、
この第２垂直部から上記かご室本体外方に延在する水平部と、
この水平部から上方に延在する第３垂直部と、
この第３垂直部から上記かご室本体外方に延在し、上記壁パネルの上端部から上記かご室本体外方に延在された支持部の上面と面接触して上記支持部に載置される載置部と、
を具備していることを特徴とするエレベーター用かご。
【請求項２６】
上記第１垂直部と上記第２垂直部との対向面同士の間隔は上記保護カバーの厚さと同じであることを特徴とする請求項２５記載のエレベーター用かご。
【請求項２７】
上記かご室内備品は、上部に上記保護カバーの下端部が挿入される下端部用挿入部が形成され、上記壁パネルの内表面に固定されたブラケットと、このブラケットに取り付けられ、水平に配置される横木とを有する手すりであることを特徴とする請求項２５又は請求項２６に記載のエレベーター用かご。
【請求項２８】
天井パネルと、床パネルと、これら床パネルと天井パネルとの間に配置された壁パネルとを有するかご室本体、
下部に上端部用挿入部が形成され、上記壁パネルの内表面に固定されたブラケットと、このブラケットに取り付けられ、水平に配置される横木とを有する手すり、
上部に下端部用挿入部が形成され、上記壁パネルと上記床パネルとの間に配置された巾木、
上記手すりの上端部用挿入部に上端部が挿入され、上記巾木の下端部用挿入部に下端部が挿入され、上記壁パネルの内表面の一部を覆う保護カバー
を備えたエレベーター用かご。
【請求項２９】
上記床パネルは、床面部と、この床面部から垂直方向に立ち上げられた垂直部と、この垂直部から上記かご室本体内方に向かって延在された締結部とを有し、
上記壁パネルは、壁面部と、この壁面部の下端部から上記かご室本体外方に向かって延在され、上記床パネルの締結部の上面と面接触して上記床パネルの締結部に固定される締結部とを有し、
上記巾木は、上記床パネルの床面部と上記壁パネルの締結部との間に配置されること
を特徴とする請求項２８に記載のエレベーター用かご。
【請求項３０】
上記下端部用挿入部は上記巾木の上面に水平方向全長に亘って形成された凹溝であることを特徴とする請求項２８または請求項２９記載のエレベーター用かご。
【請求項３１】
上記凹溝の幅は上記保護カバーの厚さと同じであることを特徴とする請求項３０記載のエレベーター用かご。
【請求項３２】
上記上端部用挿入部は、上記壁パネルの内表面とで凹部を形成する、水平方向全長に亘って形成された切欠きであることを特徴とする請求項２８から請求項３１のいずれか１項に記載のエレベーター用かご。
【請求項３３】
上記凹部の幅は上記保護カバーの厚さと同じであることを特徴とする請求項３２記載のエレベーター用かご。
【請求項３４】
前記保護カバーには広告が貼り付けられることを特徴とする請求項１から請求項３３のいずれか１項に記載のエレベーター用かご。
【国際調査報告】
2014195996.tif 000018
2014195996.tif 000019
2014195996.tif 000020
2014195996.tif 000021